(57)【要約】【課題】  収納排出ボタンを押下した際に、ディスク収納部にディスクを収納するか、ディスク収納部からディスクを排出するかを任意に選択できるようにする「ディスク管理装置及びディスク管理方法」を提供する。【解決手段】  収納排出ボタンの押下後にディスク収納部１内の複数のディスクトレイの何れかを選択する操作が行われた場合に、選択されたディスクトレイにディスクが載置されていないときには、ディスクが載置されていないディスクトレイに対する連続ローディング動作とし、選択されたディスクトレイにディスクが載置されているときには、ディスクが載置されているディスクトレイに対する連続イジェクト動作とするように制御する制御部６ｃを設けているので、連続ローディング動作又は連続イジェクト動作の何れかを任意に選択して行うことができる。【選択図】        図１
2006309834.tif 000002
【特許請求の範囲】
【請求項１】
複数枚のディスクをそれぞれ載置する複数のディスクトレイを備えたディスク収納部と、１枚毎に前記ディスクの出し入れが行われるディスク挿入口と、前記ディスクの収納指示及び排出指示を行うための収納排出ボタンと、前記ディスクトレイを選択するためのディスクトレイ選択ボタンとを備えたオーディオ装置に適用されるディスク管理装置であって、
前記収納排出ボタンが操作されたか否かを判定すると共に、前記収納排出ボタンが操作されたと判断した場合に、前記複数のディスクトレイに前記ディスクが載置されているか否か、及び、前記ディスクトレイ選択ボタンが操作されたか否かを判定するディスク判定部と、
前記ディスクトレイ選択ボタンが操作されたと前記ディスク判定部にて判断した場合に、前記ディスクトレイ選択ボタンにより選択された前記ディスクトレイに前記ディスクが載置されているか否かを判定する選択判定部と、
前記ディスクトレイ選択ボタンにより選択された前記ディスクトレイに前記ディスクが載置されていると前記選択判定部にて判断した場合に排出動作を行い、前記ディスクトレイ選択ボタンにより選択された前記ディスクトレイに前記ディスクが載置されていないと前記選択判定部にて判断したときには収納動作を行うように前記ディスクトレイを制御する制御部と、
を備えたことを特徴とするディスク管理装置。
【請求項２】
前記ディスク判定部は、前記複数のディスクトレイの全てに前記ディスクが載置されている状態及び前記複数のディスクトレイの全てに前記ディスクが載置されていない状態の何れの状態でもないと判断した場合に、前記ディスクトレイ選択ボタンが操作されたか否かを判定することを特徴とする請求項１に記載のディスク管理装置。
【請求項３】
前記制御部は、前記ディスクトレイ選択ボタンにより選択された前記ディスクトレイに前記ディスクが載置されていると前記選択判定部にて判断したときには、前記ディスクを載置している全てのディスクトレイから前記ディスクを連続して排出する動作を行い、前記ディスクトレイ選択ボタンにより選択された前記ディスクトレイに前記ディスクが載置されていないと前記選択判定部にて判断したときには、前記ディスクを載置していない全てのディスクトレイに対して前記ディスクを連続して収納する動作を行うように前記ディスクトレイを制御することを特徴とする請求項１又は請求項２に記載のディスク管理装置。
【請求項４】
前記制御部は、１以上の前記ディスクトレイ選択ボタンが操作されたと前記ディスク判定部にて判断した場合に、操作された１以上のディスクトレイ選択ボタンにより選択された１以上の前記ディスクトレイに前記ディスクが載置されているときには前記ディスクトレイ選択ボタンにより選択された１以上のディスクトレイから前記ディスクを排出する動作を行い、前記操作された１以上のディスクトレイ選択ボタンにより選択された１以上の前記ディスクトレイに前記ディスクが載置されていないときには前記ディスクトレイ選択ボタンにより選択された１以上のディスクトレイに対して前記ディスクを収納する動作を行うように前記ディスクトレイを制御することを特徴とする請求項１又は請求項２に記載のディスク管理装置。
【請求項５】
ディスク挿入口より挿入されたディスクを複数のディスクトレイへ収納する動作及び複数のディスクトレイに載置されたディスクを前記ディスク挿入口より排出する動作を管理するディスク管理方法であって、
前記ディスクの収納及び排出を指示するための収納排出ボタンの操作が行われたか否かをディスク判定部にて調べる第1のステップと、
前記第１のステップにて前記収納排出ボタンの操作が行われたと判断した場合に、前記複数のディスクトレイにそれぞれ対応するディスクトレイ選択ボタンが操作されたか否かを前記ディスク判定部にて調べる第２のステップと、
前記第２のステップにて前記ディスクトレイ選択ボタンが操作されたと判断した場合に、前記ディスクトレイ選択ボタンの操作により選択されたディスクトレイに前記ディスクが載置されているか否かを選択判定部にて調べる第３のステップと、
前記第３のステップにて前記ディスクトレイ選択ボタンの操作により選択されたディスクトレイに前記ディスクが載置されていると前記選択判定部にて判断した場合には排出動作を行い、前記ディスクトレイ選択ボタンの操作により選択されたディスクトレイに前記ディスクが載置されていないと前記選択判定部にて判断した場合には収納動作を行うように前記ディスクトレイを制御部にて制御する第４のステップと、
を備えたディスク管理方法。
【請求項６】
前記第１のステップにて前記収納排出ボタンの操作が行われたと判断した場合に、前記複数のディスクトレイに前記ディスクが載置されているか否かを前記ディスク判定部にて調べる第５のステップを前記第１のステップと前記第２のステップとの間に有し、
前記第２のステップでは、前記第５のステップにて前記複数のディスクトレイの全てに前記ディスクが載置されている状態及び前記複数のディスクトレイの全てに前記ディスクが載置されていない状態の何れの状態でもないと判断した場合に、前記複数のディスクトレイにそれぞれ対応するディスクトレイ選択ボタンが操作されたか否かを前記ディスク判定部にて調べることを特徴とする請求項５に記載のディスク管理方法。
【請求項７】
前記第４のステップにおいて、前記ディスクトレイ選択ボタンの操作により選択されたディスクトレイに前記ディスクが載置されていると前記選択判定部にて判断したときには前記ディスクを載置している全てのディスクトレイからディスクを連続して排出する動作を行い、前記ディスクトレイ選択ボタンの操作により選択されたディスクトレイに前記ディスクが載置されていないと前記選択判定部にて判断したときには前記ディスクを載置していない全てのディスクトレイに対して前記ディスクを連続して収納する動作を行うように前記ディスクトレイを前記制御部にて制御することを特徴とする請求項５又は請求項６に記載のディスク管理方法。
【発明の詳細な説明】
【技術分野】
【０００１】
本発明は、音楽情報や映像情報を記録したディスクを複数枚収納したり、収納されたディスクを排出したり、収納された複数枚のディスクの中から再生するディスクを選択したりするディスク管理装置及びディスク管理方法に関する。
【背景技術】
【０００２】
従来、車載用のオーディオ装置の中には、ディスクチェンジャー装置を用いたものが存在する。ディスクチェンジャー装置は、ディスク収納部にディスクを複数枚収納し、その中から再生するディスクを選択できるようにしたものである。ディスクチェンジャー装置を用いれば、異なるディスクを再生する場合でも、いちいちディスクを交換する作業が不要となる。
【０００３】
ディスクチェンジャー装置としては、大きく分けて２つのタイプがある。１つ目は、マガジンと称するディスク収納部を車両のトランク内などに載置し、これを車内に設置したセンターユニットからコントロールするようにしたものである。２つ目は、マガジンのような別体のディスク収納部を使用せずに、車両のダッシュボードに組み込んだディスク収納部にディスクを直接収納可能にしたものである。
【０００４】
後者のディスクチェンジャー装置は、インダッシュチェンジャー装置と呼ばれることがある。インダッシュチェンジャー装置では、複数枚のディスクを収納する際に、前面のパネル部分に形成されたディスク挿入口からディスクを１枚ずつ挿入し、複数のディスクトレイにそれぞれ載置するようにしている。また、ディスクを排出する際には、ディスクトレイに載置された複数枚のディスクをディスク挿入口から１枚ずつ取り出すようにしている。
【０００５】
また、このようなインダッシュチェンジャー装置は、設置スペースの狭さゆえに、前面パネルの操作領域を広く取れないことがある。そのため、実装するボタンの数をできるだけ少なくするために、インダッシュチェンジャー装置にディスクを収納するためのディスク収納ボタンとインダッシュチェンジャー装置からディスクを排出するためのディスク排出ボタンとを共用する場合があった。
【０００６】
このように、ディスク収納ボタン及びディスク排出ボタンを共用するための収納排出ボタンを設けたインダッシュチェンジャー装置では、収納排出ボタンが押下された場合に、ディスク収納部に一枚以上のディスクが収納されているときには排出動作とし、ディスク収納部に収納されている全てのディスクをディスク挿入口から連続して排出していた。また、収納排出ボタンが押下された場合に、ディスク収納部にディスクが一枚も収納されていないときには収納動作とし、全てのディスクトレイにディスクが載置されるまで複数のディスクを連続して収納していた。ここで、ディスク挿入口から排出されるディスクは、ユーザによって連続して取り出され、ディスク挿入口から挿入されるディスクは、ユーザによって連続して挿入される。
【０００７】
しかしながら、従来の技術では、ディスク収納部にディスクが一枚でも収納されている状態では、収納排出ボタンが押下されると、ディスクを連続して排出するための動作となってしまい、たとえディスクが載置されていないディスクトレイが存在したとしても、そこにディスクを収納することができないという問題があった。
【０００８】
なお、ディスク収納部から排出するディスクの枚数又はディスク収納部に収納するディスクの枚数を、排出指令又は収納指令の入力回数や識別番号の数値によって指定する技術が知られている（例えば特許文献１など）。
【特許文献１】特開平７−３１２０１３号公報
【０００９】
しかしながら、この特許文献１に記載の技術では、排出指令を行うための操作ボタン及び収納指令を行うための操作ボタンが別体となっている。そのため、これらの操作ボタンが共用とされている場合における上述した問題点は、この特許文献１に記載の技術では解決することができない。
【発明の開示】
【発明が解決しようとする課題】
【００１０】
本発明は、このような問題を解決するために成されたものであり、ディスク収納部に新たなディスクを収納する動作の指示及びディスク収納部からディスクを排出する動作の指示を１つの共用ボタンで行うための収納排出ボタンを押下した場合に、ディスク収納部に収納されているディスクを排出するか、ディスク収納部の空いているディスクトレイに新たなディスクを収納するかを任意に選択することができるようにすることを目的とする。
【課題を解決するための手段】
【００１１】
上記した課題を解決するために、本発明では、収納排出ボタンが押下された後にディスク収納部内の複数のディスクトレイの何れかを選択するためのディスクトレイ選択ボタンが押下された場合に、選択されたディスクトレイにディスクが載置されているか否かを判断し、ディスクが載置されていないときには、ディスク収納部に新たなディスクを収納する動作を行い、ディスクが載置されているときには、ディスク収納部からディスクを排出する動作を行うように制御している。
【発明の効果】
【００１２】
上記のように構成した本発明によれば、収納排出ボタン及びディスクトレイ選択ボタンを組み合わせて操作することで、ディスクトレイ選択ボタンによって選択されたディスクトレイにディスクが載置されているか否かに応じて、ディスクの排出動作又は収納動作が選択的に行われることとなる。これにより、ユーザは、ディスク収納部に収納されているディスクを排出する動作又はディスク収納部に新たなディスクを収納する動作の何れかを任意に選択して行わせることができる。
【発明を実施するための最良の形態】
【００１３】
以下、本発明の一実施形態を図面に基づいて説明する。図１は、本実施形態によるディスク管理装置６を含むディスクチェンジャー装置の構成例を示すブロック図である。図１に示すように、本実施形態によるディスク管理装置６を含むディスクチェンジャー装置は、ディスク収納部１、トレイ移動機構２、ディスク収納排出機構３、ディスク検出部４、操作部５、ディスク管理装置６を備えて構成されている。また、ディスク管理装置６は、ディスク判定部６ａ、選択判定部６ｂ、制御部６ｃを備えて構成されている。
【００１４】
また、図２は、ディスクチェンジャー装置の操作部５及びディスク収納部１の構成例を示す図であり、図２（ａ）は操作部５、図２（ｂ）はディスク収納部１を示している。また、ディスクチェンジャー装置では、図示しないディスクが再生可能であり、ディスクは、信号記録面に音楽情報や映像情報などが記録されている。また、ディスクチェンジャー装置に挿入されるディスクを新しいディスク、ディスク収納部１に収納されたディスクを収納済みディスクとする。
【００１５】
図１及び図２において、ディスク収納部１は、新しいディスクを挿入したり収納済みディスクを排出したりするためのディスク挿入口１ａを備えている。また、ディスク収納部１は、ディスク挿入口１ａより新しいディスクを挿入し、複数のディスクトレイＴ１〜Ｔ６の何れかに載置することができる。ここで、複数のディスクトレイＴ１〜Ｔ６は、垂直方向に積層されており、新しいディスクを載置するために、それぞれのディスクトレイＴ１〜Ｔ６がディスク挿入口１ａに対向するように移動する。そして、例えば第１のディスクトレイＴ１に載置された収納済みディスクを再生する際には、第１のディスクトレイＴ１と第２のディスクトレイＴ２との間の隙間を広げて、その隙間に図示しないピックアップを含む再生機構を挿入する。
【００１６】
トレイ移動機構２は、各ディスクトレイＴ１〜Ｔ６を移動する。ここで、収納済みディスクが載置されていないディスクトレイに新しいディスクを載置する場合には、トレイ移動機構２は、ディスク挿入口１ａから挿入された新しいディスクを載置可能な位置にディスクトレイを移動する。具体的には、トレイ移動機構２は、収納済みディスクの載置されていないディスクトレイがディスク挿入口１ａに対向するようにディスクトレイを移動する。また、収納済みディスクをディスク挿入口１ａより排出する場合には、トレイ移動機構２は、収納済みディスクが載置されているディスクトレイを、収納済みディスクを排出可能な位置に移動する。具体的には、トレイ移動機構２は、収納済みディスクの載置されているディスクトレイがディスク挿入口１ａに対向するようにディスクトレイを移動する。
【００１７】
ディスク収納排出機構３は、ディスクが載置されていないディスクトレイ（Ｔ１〜Ｔ６の何れか）がディスク挿入口１ａに対向するようにトレイ移動機構２により移動された後に、ユーザによってディスク挿入口１ａから挿入された新しいディスクをディスクトレイに収納する。また、ディスク収納排出機構３は、排出すべき収納済みディスクの載置されたディスクトレイ（Ｔ１〜Ｔ６の何れか）がディスク挿入口１ａに対向するようにトレイ移動機構２により移動された後に、ディスクトレイから収納済みディスクを排出する。ここで、ディスクトレイから排出された収納済みディスクの一部がディスク挿入口１ａより現れるので、ユーザは、ディスクを取り出すことができる。
【００１８】
ディスク検出部４は、複数のディスクトレイＴ１〜Ｔ６のそれぞれに設けられ、ディスクトレイ毎にディスクが載置されているか否かを検出してディスク検出結果をディスク判定部６ａに出力する。ここで、ディスク検出部４は、例えば赤外線センサなどにより構成されている。ディスク検出部４を赤外線センサにより構成した場合、赤外線センサは、ディスクトレイＴ１〜Ｔ６にディスクが載置されたことを検出するための構成素子であり、赤外線発光部と赤外線受光部とにより構成されている。これらの赤外線発光部及び赤外線受光部は、これらを結ぶ赤外線光が、ディスクトレイＴ１〜Ｔ６に載置されるディスクによって遮られるように設けられる。
【００１９】
なお、本実施形態では、ディスク検出部４の構成要素として赤外線センサを用いる例について説明しているが、これに限定されない。例えば、ディスクトレイＴ１〜Ｔ６に載置されたディスクの重量によってオンとなるボタンであっても良い。また、ディスクトレイＴ１〜Ｔ６に載置されるディスクの有無が検出できるものであれば、これ以外の構成要素を用いても良い。
【００２０】
操作部５は、ディスク収納部１のディスク挿入口１ａが設けられた面の表面に配置されており、そこには、複数のディスクトレイＴ１〜Ｔ６に対応した複数のディスクトレイ選択ボタンＢ１〜Ｂ６が配置されている。ここで、複数のディスクトレイ選択ボタンＢ１〜Ｂ６の何れかを押下することで、再生を行うディスクが載置されたディスクトレイを選択することができる。また、複数のディスクトレイ選択ボタンＢ１〜Ｂ６と後述する収納排出ボタン５ａとを組み合わせて操作することで、収納済みディスクを排出する動作や新しいディスクを収納する動作を選択することができる。
【００２１】
また、操作部５には、複数のディスクトレイＴ１〜Ｔ６及び複数のディスクトレイ選択ボタンＢ１〜Ｂ６に対応した複数のランプＬ１〜Ｌ６が配置されている。複数のランプＬ１〜Ｌ６は、どのディスクトレイに収納済みディスクが載置されているかを示すものであり、それぞれディスクトレイ選択ボタンＢ１〜Ｂ６の近傍に配置されている。ここで、複数のランプＬ１〜Ｌ６は、収納済みディスクが載置されているディスクトレイに対応するものが緑色に点灯し、収納済みディスクが載置されていないディスクトレイに対応するものが消灯し、載置された収納済みディスクを再生しているディスクトレイに対応するものが赤色に点灯する。
【００２２】
また、操作部５には、ディスク収納部１に新しいディスクを収納する動作及びディスク収納部１に収納された収納済みディスクを排出する動作の指示を行うための収納排出ボタン５ａが配置されている。また、操作部５の略中央には、新しいディスクを挿入したり収納済みディスクを排出したりするためのディスク挿入口１ａが設けられている。
【００２３】
ディスク管理装置６のディスク判定部６ａは、収納排出ボタン５ａが押下されたか否かを判定する。また、ディスク判定部６ａは、収納排出ボタン５ａが押下されたと判断した場合に、複数のディスクトレイＴ１〜Ｔ６のそれぞれにディスクが載置されているか否かを、ディスク検出部４から入力したディスク検出結果に基づいて判定する。また、ディスク判定部６ａは、入力したディスク検出結果により、全てのディスクトレイＴ１〜Ｔ６に収納済みディスクが載置されている状態か、ディスクトレイＴ１〜Ｔ６の何れにも収納済みディスクが載置されていない状態か、その何れの状態でもない状態か（１〜５枚のディスクがディスクトレイに載置されている状態か）を判定する。そして、ディスク判定部６ａは、全てのディスクトレイＴ１〜Ｔ６に収納済みディスクが載置されている状態でもディスクトレイＴ１〜Ｔ６の何れにも収納済みディスクが載置されていない状態でもない状態であると判断した場合に、ディスクトレイ選択ボタンＢ１〜Ｂ６の何れかが押下されたか否かを判定し、どのディスクトレイ選択ボタンが押下されたかを示す選択情報を選択判定部６ｂに出力する。また、ディスク判定部６ａは、どのディスクトレイにディスクが載置されているかというディスクトレイ情報を選択判定部６ｂ及び制御部６ｃに出力する。
【００２４】
選択判定部６ｂは、ディスク判定部６ａから選択情報及びディスクトレイ情報を入力する。また、選択判定部６ｂは、選択情報に基づいて、押下されたディスクトレイ選択ボタンを特定し、ディスクトレイ情報に基づいて、ディスクが載置されているディスクトレイを特定する。そして、ディスクトレイ選択ボタンにより選択されたディスクトレイにディスクが載置されているか否かを判定し、その判定結果を制御部６ｃに出力する。
【００２５】
制御部６ｃは、ディスク判定部６ａから入力したディスクトレイ情報及び選択判定部６ｂから入力した判定結果に基づいて、トレイ移動機構２及びディスク収納排出機構３の制御を行う。
【００２６】
具体的には、収納排出ボタン５ａが短い時間押下されると、ディスク判定部６ａは、ディスク収納部１の複数のディスクトレイＴ１〜Ｔ６のそれぞれに収納済みディスクが載置されているか否かといったディスク検出部４による検出結果を入力し、ディスクトレイ情報を選択判定部６ｂに出力する。ここで、ディスクトレイ選択ボタンＢ１〜Ｂ６の何れかが押下されると、ディスク判定部６ａは、押下されたディスクトレイ選択ボタンを示す選択情報を選択判定部６ｂに出力する。選択判定部６ｂは、ディスクトレイ情報及び選択情報に基づいて、押下されたディスクトレイ選択ボタンに対応するディスクトレイに収納済みディスクが載置されているか否かを調べ、その判定結果を制御部６ｃに出力する。
【００２７】
制御部６ｃは、選択判定部６ｂから判定結果を入力する。そして、その判定結果が、押下されたディスクトレイ選択ボタンに対応するディスクトレイに収納済みディスクが載置されていることを示している場合には、制御部６ｃは、トレイ移動機構２を制御して、そのディスクトレイを収納済みディスクが排出可能な位置（ディスク挿入口１ａに対向する位置）に移動させる。そして、制御部６ｃは、ディスク収納排出機構３を制御して、ディスク挿入口１ａに対向したディスクトレイから収納済みディスクを排出させる。また、押下されたディスクトレイ選択ボタンに対応するディスクトレイに収納済みディスクが載置されていないとの判定結果を選択判定部６ｂから入力した場合には、制御部６ｃは、トレイ移動機構２を制御して、そのディスクトレイを新しいディスクが収納可能な位置（ディスク挿入口１ａに対向する位置）に移動させる。そして、制御部６ｃは、ディスク収納排出機構３を制御して、ディスク挿入口１ａに対向したディスクトレイに新しいディスクを収納させる。
【００２８】
一方、収納排出ボタン５ａが所定時間以上続けて押下されると、ディスク判定部６ａは、ディスク収納部１の複数のディスクトレイＴ１〜Ｔ６のそれぞれに収納済みディスクが載置されているか否かといったディスク検出部４による検出結果を入力し、ディスクトレイ情報を選択判定部６ｂ及び制御部６ｃに出力する。また、ディスク判定部６ａは、複数のディスクトレイＴ１〜Ｔ６に収納済みディスクが一枚も載置されていないか、複数のディスクトレイＴ１〜Ｔ６の全てに収納済みディスクが載置されているか、その何れでもないかを調べ、その判定結果を制御部６ｃに出力する。また、全てのディスクトレイＴ１〜Ｔ６に収納済みディスクが載置されている状態でもディスクトレイＴ１〜Ｔ６の何れにも収納済みディスクが載置されていない状態でもない状態であると判断した場合に、ディスク判定部６ａは、ディスクトレイ選択ボタンＢ１〜Ｂ６の何れかが押下されたか否かを判定する。ディスク判定部６ａは、押下されたディスクトレイ選択ボタンを示す選択情報を選択判定部６ｂに出力する。
【００２９】
ディスク判定部６ｂは、ディスクトレイ情報及び選択情報に基づいて、押下されたディスクトレイ選択ボタンに対応するディスクトレイに収納済みディスクが載置されているか否かを調べ、その判定結果を制御部６ｃに出力する。
【００３０】
制御部６ｃは、ディスク判定部６ａからディスクトレイ情報を入力し、選択判定部６ｂから判定結果を入力する。制御部６ｃは、複数のディスクトレイＴ１〜Ｔ６に収納済みディスクが一枚も載置されていないとの判定結果をディスク判定部６ａから入力した場合には、新しいディスクをディスク収納部１に連続して収納する動作（以下、連続ローディング動作と記載する）となるように制御する。連続ローディング動作において、制御部６ｃは、まず、トレイ移動機構２を制御して、何れかのディスクトレイを新しいディスクが挿入可能な位置（ディスク挿入口１ａに対向する位置）に移動させる。ここで、ユーザは、新しいディスクをディスク挿入口１ａより挿入する。ディスク収納部１では、挿入された新しいディスクをディスクトレイに載置する。そして、制御部６ｃは、トレイ移動機構２を制御して、ディスクが載置されていない次のディスクトレイを新しいディスクが挿入可能な位置に移動させる。このような動作を、全てのディスクトレイＴ１〜Ｔ６に新しいディスクが載置されるまで繰り返す。ここで、ディスクトレイを移動させた後、ディスク挿入口１ａより新しいディスクが挿入されない状態が所定時間経過したときには、連続ローディング動作を終了する。
【００３１】
また、全てのディスクトレイＴ１〜Ｔ６に収納済みディスクが載置されているとの判定結果をディスク判定部６ａから入力した場合には、制御部６ｃは、収納済みディスクをディスク収納部１から連続して排出する動作（以下、連続イジェクト動作と記載する）となるように制御する。連続イジェクト動作において、制御部６ｃは、まず、トレイ移動機構２を制御して、何れかのディスクトレイを収納済みディスクが排出可能な位置（ディスク挿入口１ａに対向する位置）に移動させる。また、移動が完了すると、制御部６ｃは、ディスク収納排出機構３を制御して、ディスクトレイに載置された収納済みディスクをディスク挿入口１ａより排出する。ここで、ディスクトレイから排出された収納済みディスクの一部がディスク挿入口１ａより現れるので、ユーザは、収納済みディスクを取り出す。
【００３２】
収納済みディスクがディスク挿入口１ａより取り出されると、制御部６ｃは、トレイ移動機構２を制御して、収納済みディスクが載置されている次のディスクトレイを収納済みディスクが排出可能な位置に移動させる。また、移動が完了すると、制御部６ｃは、ディスク収納排出機構３を制御して、ディスクトレイに載置された収納済みディスクをディスク挿入口１ａより排出する。このような動作を、全てのディスクトレイＴ１〜Ｔ６から収納済みディスクが排出されるまで繰り返す。
【００３３】
また、全てのディスクトレイＴ１〜Ｔ６に収納済みディスクが載置されている状態でもなく、ディスクトレイＴ１〜Ｔ６の何れにも収納済みディスクが載置されていない状態でもないとディスク判定部６ａにて判断した場合には、換言すると、全部で６つあるディスクトレイＴ１〜Ｔ６のうち、１つ以上５つ以下のディスクトレイに収納済みディスクが載置されている状態であるとディスク判定部６ａにて判断した場合には、ディスク判定部６ａは、ディスクトレイ選択ボタンＢ１〜Ｂ６の何れかが押下されたか否かを判定する。そして、ディスク判定部６ａは、押下されたディスクトレイ選択ボタンを示す選択情報を選択判定部６ｂに出力する。選択判定部６ｂは、押下されたディスクトレイ選択ボタンに対応するディスクトレイに収納済みディスクが載置されているか否かを調べ、その判定結果を制御部６ｃに出力する。
【００３４】
制御部６ｃは、ディスク判定部６ａからディスクトレイ情報を入力し、選択判定部６ｂから判定結果を入力する。押下されたディスクトレイ選択ボタンに対応するディスクトレイに収納済みディスクが載置されていないという判定結果を入力した場合には、制御部６ｃは、ディスクトレイ情報に基づいて、収納済みディスクが載置されていないディスクトレイに対する連続ローディング動作となるように制御する。すなわち、トレイ移動機構２を制御して、複数のディスクトレイＴ１〜Ｔ６のうち収納済みディスクが載置されていない１つ以上のディスクトレイを新しいディスクが載置可能な位置（ディスク挿入口１ａに対向する位置）に順番に移動させる。
【００３５】
ここで、収納済みディスクの載置されていないディスクトレイが複数存在する場合、制御部６ｃの制御の下で、以下の条件に従ってディスクトレイを移動させる。例えば、収納済みディスクが載置されていないディスクトレイのうち、最も上側に配置されているディスクトレイから順番に移動させる。なお、操作されたディスクトレイ選択ボタンに対応するディスクトレイを最初に移動させ、その他のディスクトレイを任意の順番で移動させるようにしても良い。
【００３６】
ここで、ユーザは、ディスクトレイが移動する度に、新しいディスクをディスク挿入口１ａより１枚ずつ順次挿入する。制御部６ｃは、ディスク収納排出機構３を制御して、挿入された新しいディスクをディスクトレイに載置させる。このように、全てのディスクトレイＴ１〜Ｔ６に新しいディスクが載置されるまで、ローディング動作を繰り返す。ここで、ディスクトレイが移動した後にディスク挿入口１ａより新しいディスクが挿入されない状態が所定時間経過したときには、連続ローディング動作を終了する。
【００３７】
一方、押下されたディスクトレイ選択ボタンに対応するディスクトレイに収納済みディスクが載置されているという判定結果を入力した場合には、制御部６ｃは、ディスクトレイ情報に基づいて、収納済みディスクが載置されているディスクトレイに対する連続イジェクト動作となるように制御する。すなわち、トレイ移動機構２を制御して、複数のディスクトレイＴ１〜Ｔ６のうち収納済みディスクが載置されている１つ以上のディスクトレイを収納済みディスクが排出可能な位置に順番に移動させる。
【００３８】
ここで、収納済みディスクが載置されているディスクトレイが複数存在する場合、制御部６ｃの制御の下で、以下の条件に従ってディスクトレイを移動させる。例えば、収納済みディスクが載置されているディスクトレイのうち、最も上側に配置されているディスクトレイから順番に移動させる。なお、操作されたディスクトレイ選択ボタンに対応するディスクトレイを最初に移動させ、その他のディスクトレイを任意の順番で移動させるようにしても良い。
【００３９】
そして、ディスクトレイが移動する度に、制御部６ｃは、ディスク収納排出機構３を制御して、ディスクトレイに載置された収納済みディスクをディスク挿入口１ａより排出させる。ここで、ディスクトレイから排出された収納済みディスクの一部がディスク挿入口１ａより現れるので、ユーザは、ディスクを順次取り出す。このように、全てのディスクトレイＴ１〜Ｔ６から収納済みディスクが排出されるまで、イジェクト動作を繰り返す。
【００４０】
例えば、第１のディスクトレイＴ１、第２のディスクトレイＴ２、第５のディスクトレイＴ５に収納済みディスクが載置されている状態で、収納排出ボタン５ａが所定時間以上押下（長押し）された後、ディスクトレイ選択ボタンＢ１，Ｂ２，Ｂ５の何れかが押下された場合には、第１のディスクトレイＴ１、第２のディスクトレイＴ２、第５のディスクトレイＴ５に載置されている収納済みディスクを連続して排出する動作を行う。一方、収納排出ボタン５ａが長押しされた後、ディスクトレイ選択ボタンＢ３，Ｂ４，Ｂ６の何れかが押下された場合には、第３のディスクトレイＴ３、第４のディスクトレイＴ４、第６のディスクトレイＴ６に新しいディスクを連続して載置する動作を行う。
【００４１】
ディスク排出検出部７は、ディスク挿入口１ａより排出された収納済みディスクを検出する。これにより、ディスク挿入口１ａより収納済みディスクをユーザが取り出したか否かを判定することができる。制御部６ｃは、ディスク挿入口１ａより収納済みディスクが取り出されたのを確認してから、トレイ移動機構２及びディスク収納排出機構３を制御して、次に収納済みディスクを排出すべきディスクトレイを収納済みディスクが排出可能な位置に移動させて排出させる。ここで、ディスク排出検出部７は、赤外線センサなどにより構成されている。
【００４２】
次に、本実施形態によるディスク管理装置の動作及びディスク管理方法を説明する。図３は、本実施形態によるディスク管理装置の動作及びディスク管理方法を示すフローチャートである。本実施形態によるディスク管理装置は、収納排出ボタン５ａが長押しされることにより動作を開始する。まず、ディスク収納部１に収納済みディスクが収納されているか否か（複数のディスクトレイＴ１〜Ｔ６の何れかに収納済みディスクが載置されているか否か）をディスク判定部６ａにて調べる（ステップＳ１）。ここで、複数のディスクトレイＴ１〜Ｔ６に収納済みディスクが載置されているか否かは、ディスク検出部４のディスク検出結果により調べることができる。ディスク収納部１に収納済みディスクが全く収納されていないとディスク判定部６ａにて判断した場合には（ステップＳ１にてＮＯ）、ステップＳ７に移行する。
【００４３】
一方、ディスク収納部１に収納済みディスクが収納されているとディスク判定部６ａにて判断した場合には（ステップＳ１にてＹＥＳ）、全てのディスクトレイＴ１〜Ｔ６に収納済みディスクが載置されているか否かをディスク判定部６ａにて調べる（ステップＳ２）。全てのディスクトレイＴ１〜Ｔ６に収納済みディスクが載置されているとディスク判定部６ａにて判断した場合には（ステップＳ２にてＹＥＳ）、ステップＳ５に移行する。
【００４４】
また、ディスクトレイＴ１〜Ｔ６の全てには収納済みディスクが載置されていない（５つ以下のディスクトレイに収納済みディスクが載置されている）とディスク判定部６ａにて判断した場合には（ステップＳ２にてＮＯ）、ディスクトレイ選択ボタンＢ１〜Ｂ６の何れかが押下されたか否かをディスク判定部６ａにて調べる（ステップＳ３）。ディスクトレイ選択ボタンＢ１〜Ｂ６の何れかが押下されていないとディスク判定部６ａにて判断した場合には（ステップＳ３にてＮＯ）、ステップＳ３の処理を繰り返す。
【００４５】
一方、ディスクトレイ選択ボタンＢ１〜Ｂ６の何れかが押下されたとディスク判定部６ａにて判断した場合には（ステップＳ３にてＹＥＳ）、ディスクトレイ選択ボタンの押下によって選択されたディスクトレイに収納済みディスクが載置されているか否かを選択判定部６ｂにて調べる（ステップＳ４）。ディスクトレイ選択ボタンの押下によって選択されたディスクトレイに収納済みディスクが載置されていると選択判定部６ｂにて判断した場合には（ステップＳ４にてＹＥＳ）、ステップＳ５に移行する。
【００４６】
ステップＳ５では、制御部６ｃは、トレイ移動機構２を制御して、収納済みディスクが載置されている最初のディスクトレイを収納済みディスクが排出可能な位置に移動させると共に、ディスク収納排出機構３を制御して、ディスク挿入口１ａより収納済みディスクを排出させる。ここで、ユーザは、ディスク挿入口１ａから排出された収納済みディスクをディスク挿入口１ａより取り出す。そして、全ての収納済みディスクが排出されたか否かを制御部６ｃにて調べる（ステップＳ６）。
【００４７】
全ての収納済みディスクが排出されていないと制御部６ｃにて判断した場合には（ステップＳ６にてＮＯ）、ステップＳ５の処理に戻る。そして、収納済みディスクが載置されている次のディスクトレイを収納済みディスクが排出可能な位置に移動させると共に、ディスク収納排出機構３を制御して、ディスク挿入口１ａより収納済みディスクを排出させる。一方、全ての収納済みディスクが排出されたと制御部６ｃにて判断した場合には（ステップＳ６にてＹＥＳ）、処理を終了する。
【００４８】
また、ディスクトレイ選択ボタンの押下によって選択されたディスクトレイに収納済みディスクが載置されていないと選択判定部６ｂにて判断した場合には（ステップＳ４にてＮＯ）、ステップＳ７に移行する。ステップＳ７では、制御部６ｃは、トレイ移動機構２を制御して、収納済みディスクが載置されていない最初のディスクトレイを新しいディスクが載置可能な位置に移動させる。そして、ディスクトレイを移動してから所定時間が経過したか否かを制御部６ｃにて調べる（ステップＳ８）。
【００４９】
ここで、新しいディスクの挿入がないまま所定時間が経過したと制御部６ｃにて判断した場合には（ステップＳ８にてＹＥＳ）、処理を終了する。一方、所定時間以内にユーザが新しいディスクをディスク挿入口１ａより挿入すると（ステップＳ８にてＮＯ）、制御部６ｃは、ディスク収納排出機構３を制御して、ディスク挿入口１ａより挿入された新しいディスクをディスクトレイに載置させる。そして、全てのディスクトレイＴ１〜Ｔ６に新しいディスクが載置されたか否かを制御部６ｃにて調べる（ステップＳ９）。
【００５０】
全てのディスクトレイＴ１〜Ｔ６に新しいディスクが載置されていないと制御部６ｃにて判断した場合には（ステップＳ９にてＮＯ）、ステップＳ７の処理に戻る。一方、全てのディスクトレイＴ１〜Ｔ６に新しいディスクが載置されたと制御部６ｃにて判断した場合には（ステップＳ９にてＹＥＳ）、処理を終了する。
【００５１】
以上詳しく説明したように、本実施形態によれば、収納排出ボタン５ａが長押しされた後に、ディスクトレイ選択ボタンＢ１〜Ｂ６の何れかが押下された場合に、ディスクトレイ選択ボタンＢ１〜Ｂ６の押下により選択されたディスクトレイに収納済みディスクが載置されているか否かに応じて、連続ローディング動作か連続イジェクト動作かを選択するようにしている。これにより、ディスク収納部１に１枚〜５枚の収納済みディスクが載置されている場合に、ユーザは、収納排出ボタン５ａ及びディスクトレイ選択ボタンＢ１〜Ｂ６の操作の組み合わせに応じて、連続ローディング動作又は連続イジェクト動作の何れかを任意に選択してディスク管理装置６に行わせることができる。
【００５２】
また、本実施形態によれば、ディスク収納部１に１枚〜５枚のディスクが収納されている場合に、収納排出ボタン５ａを長押しした後に１つのディスクトレイ選択ボタンを押下するだけで、連続ローディング動作又は連続イジェクト動作を行うことができる。これにより、ディスク収納部１に収納されている全ての収納済みディスクを排出したり、ディスク収納部１の空いているディスクトレイの全てに新しいディスクを収納したりする際に、収納排出ボタン５ａを押下した後に該当するディスクトレイ選択ボタンを押下する動作を何回も繰り返す必要がなくなり、ユーザの操作負担を軽減することができる。また、収納排出ボタン５ａ及びディスクトレイ選択ボタンＢ１〜Ｂ６を押下する回数が減るので、各ボタンの寿命を延ばすことができる。
【００５３】
なお、前記実施形態では、収納排出ボタン５ａが所定時間以上押下された後に、ディスクトレイ選択ボタンＢ１〜Ｂ６の何れかを押下した場合に、押下されたディスクトレイ選択ボタンに対応するディスクトレイに収納済みディスクが載置されているか否かに応じて、連続ローディング動作又は連続イジェクト動作を行わせるようにしているが、これに限定されない。例えば、収納排出ボタン５ａが短い時間押下された後に、ディスクトレイ選択ボタンＢ１〜Ｂ６の何れかを押下した場合に、押下されたディスクトレイ選択ボタンに対応するディスクトレイに収納済みディスクが載置されているか否かに応じて、連続ローディング動作又は連続イジェクト動作を行わせるようにしても良い。
【００５４】
また、前記実施形態では、収納排出ボタン５ａが所定時間以上押下された後に、ディスクトレイ選択ボタンＢ１〜Ｂ６の何れかを操作した場合に、押下されたディスクトレイ選択ボタンに対応するディスクトレイに収納済みディスクが載置されているか否かに応じて、連続ローディング動作又は連続イジェクト動作を行わせるようにしているが、これに限定されない。例えば、ディスクトレイ選択ボタンＢ１〜Ｂ６の操作により選択されたディスクトレイだけを対象としてディスクの排出動作又は収納動作を行うようにしても良い。
【００５５】
この場合は、選択されたディスクトレイに収納済みディスクが載置されているときには、選択されたディスクトレイに載置された収納済みディスクをディスク挿入口１ａより排出する動作を行う。一方、選択されたディスクトレイに収納済みディスクが載置されていない場合には、選択されたディスクトレイに新しいディスクを載置する動作を行う。
【００５６】
このような場合において、収納排出ボタン５ａが押下された後に、二つ以上のディスクトレイ選択ボタンを連続して押下した場合に、連続して押下されたディスクトレイ選択ボタンに対応するディスクトレイを対象として連続ローディング動作を行ったり、連続して押下されたディスクトレイ選択ボタンに対応するディスクトレイを対象として連続イジェクト動作を行ったりするようにしても良い。
【００５７】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００５８】
本発明は、複数のディスクを収納して、その中から所望のディスクを選択可能なディスクチェンジャー装置に有用である。このディスクチェンジャー装置は、例えば、車載用であっても良いし、車載用でなくても良い。
【図面の簡単な説明】
【００５９】
【図１】本実施形態によるディスク管理装置を含むディスクチェンジャー装置の構成例を示すブロック図である。
【図２】本実施形態によるディスク管理装置を含むディスクチェンジャー装置の操作部及びディスク収納部の構成例を示す図である。
【図３】本実施形態によるディスク管理装置の動作及びディスク管理方法を示すフローチャートである。
【符号の説明】
【００６０】
１    ディスク収納部
１ａ    ディスク挿入口
２    トレイ移動機構
３    ディスク収納排出機構
４    ディスク検出部
５    操作部
５ａ    収納排出ボタン
６    ディスク管理装置
６ａ    ディスク判定部
６ｂ    選択判定部
６ｃ    制御部
７    ディスク排出検出部
Ｔ１，Ｔ２，Ｔ３，Ｔ４，Ｔ５，Ｔ６    ディスクトレイ
Ｂ１，Ｂ２，Ｂ３，Ｂ４，Ｂ５，Ｂ６    ディスクトレイ選択ボタン
【図１】
2006309834.tif 000003
【図２】
2006309834.tif 000004
【図３】
2006309834.tif 000005